(57)【特許請求の範囲】
【請求項１】
透明なカソード、アノード及び封止体に封止される発光層を含む有機発光ダイオード（ＯＬＥＤ）装置の、異なる吸収バンドを有する分散して配置された複数の有機発光コンポーネントの少なくともひとつの光出力容量を減少させる方法であり：
前記封止体及び前記透明カソードを通して、前記分散して配置された複数の発光コンポーネントそれぞれの少なくとも一部を、前記複数の発光コンポーネントの少なくともひとつの前記光吸収バンド内の波長と、前記複数の有機発光コンポーネントの変形閾値を下回る強度とを有する光（Ｌ）で照射することを含み、
前記光の波長が含まれる光吸収バンドを有するそれぞれの有機発光コンポーネントの前記照射された部分の光出力容量が減少され、
前記光の波長が含まれない光吸収バンドを有する、いかなる有機発光コンポーネントの前記照射された部分の光出力容量が維持される、
方法。
【請求項２】
前記光が、レーザ光である、請求項１に記載の方法。
【請求項３】
前記光（Ｌ）の強度が、前記ＯＬＥＤ装置の、カソード及びアノードの変形閾値よりも低い、請求項１又は２のいずれか１項に記載の方法。
【請求項４】
有機発光ダイオード（ＯＬＥＤ）装置であって：
透明なカソード、アノード及び封止体に封止される発光層を含み、前記発光層が、分散して配置された複数の有機発光コンポーネントを有し、前記有機発光コンポーネントがそれぞれ異なる光吸収波長を有し、
前記複数の有機発光コンポーネントの少なくともひとつの光出力容量が、請求項１に記載の方法を用いて減少する、有機発光ダイオード（ＯＬＥＤ）装置。
【請求項５】
前記複数の有機発光コンポーネントが、マルチレイヤ光放射層に配置されている、請求項４に記載のＯＬＥＤ装置。
【請求項６】
前記複数の有機発光コンポーネントが、シングルレイヤ光放射層に配置されている、請求項４に記載のＯＬＥＤ装置。
【請求項７】
前記複数の有機発光コンポーネントが、シングルレイヤ光放射層と、マルチレイヤ光放射層との組み合わせで配置されている、請求項４に記載のＯＬＥＤ装置。
【発明の詳細な説明】
【技術分野】
【０００１】
本発明概念の技術分野は照明である。より詳しくは、本発明概念は、ＯＬＥＤ装置及び前記ＯＬＥＤの光出力容量が光により変更する方法である。
有機発光ダイオード（ＯＬＥＤ）は、多く照明方法において将来のものとして種々に考えられてきた。例えば、地域照明に拡散光源等の魅力としてのＯＬＥＤの本質的に有する利点は維持しつつ、ＯＬＥＤのパターン化は、例えば室内照明において興味を惹きつけるものである。完全な２次元イメージが、単一のＯＬＥＤ装置で作成できる。
【０００２】
ＯＬＥＤ装置の発光特性は、ＯＬＥＤ製造の際光リソグラフを用いて変更することができることが知られている。
【０００３】
ＵＳ２００３／０１８６０７８には、エレクトロルミネセンスディスプレーの製造のためのＯＬＥＤ装置のＲＧＢ−パターンが開示されている。個々の色ピクセルが、赤及び緑の有機物質のような２以上の光―退色可能ドーパントを、共通の青発光ホストにドープすることで形成される。光―退色されるゲスト物質の最大吸収ピークに近い波長の光が酸素の存在下でその物質の表面に照射される。光と酸素の組み合わせが、望ましい発光種を退色させ、非発光性にし、発光種の混合物の色を変更する。
【０００４】
しかしながら、この解決手段の欠点は、パターン化には特定の条件が必要であるという点で複雑であるということである。
【発明の概要】
【発明が解決しようとする課題】
【０００５】
本発明の一般的目的は、ＯＬＥＤ装置の光出力容量を減少させる方法を提供することである。この目的とさらなる本発明の目的は以下に説明する。
【課題を解決するための手段】
【０００６】
本発明概念の第一の側面は、有機発光ダイオード（ＯＬＥＤ）装置（１）の、異なる吸収バンドを有する、複数の有機発光コンポーネンの少なくともひとつの光出力容量を減少させる方法であり：
前記複数の発光コンポーネントそれぞれの少なくとも一部を、前記複数の発光コンポーネントの少なくともひとつの前記光吸収バンド内の波長と、前記複数の有機発光コンポーネントの変形閾値を下回る強度とを有する光（Ｌ）で照射することを含み、
前記光の波長が含まれる光吸収バンドを有するそれぞれの有機発光コンポーネントの前記照射された部分の光出力容量が減少され、
前記光の波長が、その内に含まれない光吸収バンドを有する、有機発光コンポーネント（Ｃ１、Ｃ２、Ｃ３）の前記照射された部分（Ｐ、Ｐ１、Ｐ２、Ｐ３）のいかなる光出力容量も維持される、
方法。
【０００７】
光出力容量とは、有機発光コンポーネントから発光され得る光の量として解釈されるべきである。本発明方法は、外部照射を用いて、ＯＬＥＤ装置の異なる有機発光コンポーネント又はレイヤの光出力容量を局所的に及び選択的に調節する。利点として、本発明方法は、マルチカラーイメージ又はパターン、即ち異なる色を持つパターンを生成するために使用可能であるということである。
【０００８】
あるいは、本発明方法を、ＯＬＥＤの光出力の色を部分的又は完全に変更する、即ちカラーポイントを変更するために有利に使用することができる。それゆえ、それにより得られる効果は、ＯＬＥＤの色の調節可能性である。特に、減色法色調節（ｓｕｂｔｒａｃｔｉｖｅ  ｃｏｌｏｒ  ｔｕｎｉｎｇ）は、例えば可視光の赤端から青端への色を、選択的に除くことで達成され得る。さらに、有機発光装置の目に見える損傷は、光強度が変形閾値よりも低いものであるから避けることができる。変形閾値とは、物理的、機械的及び／又は熱的誘導されるカソード及びアノードの変形がなく、及び有機発光コンポーネントに目に見える印を残さずに、ＯＬＥＤ装置のカソード及びアノード及び有機発光コンポーネントを照射することができる、最大の光強度を意味する。
【０００９】
有機発光コンポーネントの吸収バンドにある波長を有する照射（レーザー）光は、全体として又は部分的に有機発光コンポーネントに吸収され、有機発光コンポーネントの分子構造を変え、そのため有機発光コンポーネントの光出力容量を減少させ得る。前記照射（レーザー）光の波長を含まない吸収バンドを有する有機発光コンポーネントは、その照射光を吸収せず、従ってこれらの有機発光コンポーネント発光特性は変更されない。
【００１０】
光は、レーザー光であり得る。それゆえに、レーザー光の本質的な性質により、高分解のイメージが効果的にＯＬＥＤ上に生成され得る。さらには、レーザーダイオードは、高周波数で変調されることが可能であり、高分解で多用途のパターン化が可能である。
【００１１】
また、フラッドライト光源を、例えばシャドウマスクと組み合わせて適用可能である。
【００１２】
光強度は、ＯＬＥＤ装置のカソード及びアノード変形閾値より小さくすることができる。それにより、カソード及びアノードの熱損傷が抑制され、ＯＬＥＤ装置を正しく作動させることができる。
【００１３】
ひとつの実施態様は、ＯＬＥＤ装置を封止することを含む。ＯＬＥＤ装置は、例えば封止リッドで封止されてもよい。また、他の封止方法、例えば薄膜封止（Ｔｈｉｎ  Ｆｉｌｍ  Ｅｎｃａｐｓｕｌａｔｉｏｎ）又は全面耐水接着を用いることができる。封止は、照射に先立って実施することもできる。それによる利益は、イメージのパターン化を、顧客の要求に基づき、工場から離れた場所で、製造前の封止ＯＬＥＤ装置について実施することができるということである。封止ＯＬＥＤ装置においては、ＯＬＥＤ装置の敏感な内部コンポーネントは、汚染及び劣化から保護されることができる。
【００１４】
また、封止は、照射の後でも実行できる。このように、光出力容量の減少されたＯＬＥＤ装置の融通のきく提供方法が達成される。例えば、照射プロセスは、ＯＬＥＤ装置が封止されているかどうかには依存しない。ある要求のために、封止される前にＯＬＥＤ装置が照射されることが利益であることがあり得る。
【００１５】
また、ＯＬＥＤ装置はカソード堆積前に照射されることができる。ある要求のために、カソード堆積の前に照射されることが利益であることがあり得る。
【００１６】
第二の本発明概念によれば、有機発光ダイオード（ＯＬＥＤ）装置であって：
複数の有機発光コンポーネントであって、前記有機発光コンポーネントがそれぞれ異なる光吸収波長を有し、前記複数の有機発光コンポーネントの少なくともひとつの光出力容量が、第一の本発明概念による方法を用いて減少する、有機発光ダイオード（ＯＬＥＤ）装置を提供することである。
【００１７】
すなわち、本発明のＯＬＥＤ装置においては、前記複数の発光コンポーネントそれぞれの少なくとも一部を、前記複数の発光コンポーネントの少なくともひとつの前記光吸収バンド内の波長と、前記複数の有機発光コンポーネントの変形閾値を下回る強度とを有する光で照射することを含み、前記光の波長が含まれる光吸収バンドを有するそれぞれの有機発光コンポーネントの前記照射された部分の光出力容量が減少されるものである。
【００１８】
一般的に、この第二の側面は、第一の側面と同じ利益及び特徴を示すことができる。
【００１９】
複数の有機発光コンポーネントは、マルチレイヤ光放射層であって、例えば層ごとにひとつの有機発光コンポーネントとするように、配置することができる。この層は好ましくは積層されている。
【００２０】
また、複数の有機発光コンポーネントは、シングルレイヤ光放射層に配置されることができる。ポリマーを堆積前に混合することが可能であり、これによりシングルレイヤが製造されることから、製造の立場から利益である得る。
【００２１】
さらに、一以上の有機発光コンポーネントと、一つだけの有機発光コンポーネントを有する層とを持つ、ＯＬＥＤ装置が考えられる。
【００２２】
さらに可能性のある構成及び好ましい実施態様は、独立請求項に記載され、次に開示されている。本発明は、特許請求の範囲に挙げたすべての可能性な組み合わせに関するものであることに注意されるべきである。
【図面の簡単な説明】
【００２３】
本発明概念及びさらなる有利性は、以下、実施態様により図面を参照して説明されるが、本発明を限定するものではない。
【図１】図１は、本発明概念によるＯＬＥＤ装置の一実施態様の断側面を示す。
【図２】図２は、図１のＯＬＥＤ装置の照射について模式的に示す。
【図３】図３ａは、本発明概念によるマルチレイヤ光放射層の模式的遠近図である。  図３ｂは、本発明概念によるシングルレイヤ光放射層の模式的遠近図である。図３ｃは、本発明概念による、シングルレイヤ−マルチレイヤ組み合わせ光放射層の模式的遠近図である。
【図４】図４ａ−ｂは、図３ａのマルチレイヤ光放射層の照射の一例を示す模式図である。
【図５】図５ａ−ｂは、図３ｂのシングルレイヤ光放射層の照射の一例を示す模式図である。
【図６】図６は、本発明概念によるマルチレイヤ光放射層の一例の模式図である。
【図７】図７は、本発明概念によるシングルレイヤ光放射層の一例の模式図である。
【図８】図８は、本発明概念によるＯＬＥＤ装置の光出力容量の変更を示すフローチャートである。
【図９】図９は、本発明概念によるＯＬＥＤ装置の光出力容量の変更を示すフローチャートである。
【発明を実施するための形態】
【００２４】
図１は、本発明によるＯＬＥＤ装置１のひとつの実施態様の断面を示す。ＯＬＥＤ装置１は、内部コンポーネント７、９、１１、１３を例えば湿気やホコリの汚染から防御するための、例えばガラス、金属又は他の密閉コーティングの封止体３を含む。封止体３は又、封止体を透過する恐れのある水分を吸収するためのゲッタを含んでいてよい。封止体３の内部において、ＯＬＥＤ装置は、カソード７、アノード９及び光放射層１１と電気伝導層１３を含む発光層を含む。これらの内部コンポーネントは、例えばアノード９、電気伝導層１３、光放射層１１及びカソード７を基板５の上に記載の順に、例えばガラスの基板５に配置されることが可能である。光放射層及び電気伝導層１１及び１３は、それぞれ、ポリマー又はオリゴマーのような有機物質から製造されてもよい。光放射層１１は、異なる有機発光コンポーネントＣ１及びＣ２（図３ａ−ｂに示す）で、お互い異なる特定の吸収バンド特性を有するものを含んでよい。有機発光コンポーネントは、異なる発光スペクトルを有する。
【００２５】
有機発光コンポーネントは、ひとつのシングル光放射層１１−２に共重合され結合されてもよい。または、異なる小分子オリゴマーが、ひとつの光放射層１１−１を形成する積層に結合されてもよい。積層は又、共重合されたシングル層とともに結合されてひとつの光放射層１１−３を形成してもよい。
【００２６】
正電圧をアノード９とカソード７に架けると、電流は光放射層１１及び電気伝導層１３を流れ、結果、電子−ホール再結合によりＯＬＥＤ装置から光が放射される。例えばアノードを通じた光の放射のためには、アノード９は、インジウムスズ酸化物（ＩＴＯ）、フッ化亜鉛酸化物又は透明導電体を含んでいてよい。または、カソード７が又は透明であってもよい。
【００２７】
電気導電層１３とアノード９は、ひとつの実施態様において、シングル層に結合されていてもよい。
【００２８】
ＯＬＥＤ装置１が、例えばレーザーとして外部光源（図示されていない）からレーザー光Ｌ（図２に示す）で照射される際、照射レーザー光Ｌの波長を含む吸収バンドを有する有機発光コンポーネントの照射された部分Ｐの光出力容量は、減少され得る。光Ｌは、カソードが透明であれば、カソードを通して、しかし又アノードを通して伝わることができる。照射光の波長外の吸収バンドを有する有機発光コンポーネントは、その光出力容量を維持することができる。例えば、有機発光コンポーネントＣ１が、青色発光スペクトル、即ち４６０ｎｍ付近の発光及びさらにより短い波長での吸収、を持つ場合、５３２ｎｍ波長のレーザー光照射は、有機発光コンポーネントＣ１の光出力容量を減少させることができる。
【００２９】
光放射層１１の異なる発光スペクトルを有する複数の有機発光コンポーネントは、複数の有機発光コンポーネントの発光波長の混合した光を有するＯＬＥＤ装置１を与えることができる。
【００３０】
ゆえに、その光放射層１１に複数の異なる有機発光コンポーネントを有するＯＬＥＤ装置１は、減色方法により光出力容量を調節（ｔｕｎｅ）することが可能となる。例えば、ＯＬＥＤ装置１の複数の有機発光コンポーネントが、可視光スペクトルに亘り区別可能な光放射スペクトル及び吸収バンドを有する場合、それぞれの有機発光コンポーネントは、その吸収バンド内の波長の光で照射され、それにより減少した光出力容量を得ることができる。有機発光コンポーネントの吸収バンド内の最大波長でその有機発光コンポーネントの吸収バンド内の波長でのレーザー光Ｌ照射は、この有機発光コンポーネントの光出力容量を減少させる。二番目の最大波長で（しかし、三番目の最大波長を有する有機発光コンポーネントの吸収バンドの外で）有機発光コンポーネントの吸収バンド内の波長でのレーザー光Ｌ照射は、最大の光照射波長、二番目の最大波長等々を有する光出力容量を減少させることができる。ゆえに、最小の発光波長を有する有機発光コンポーネントの吸収バンド内の波長でのレーザー光Ｌ２照射は、ＯＬＥＤ装置１のすべての有機発光コンポーネントの光出力容量を減少させることができる。このようにして、減色方法調節ＯＬＥＤ装置１であって、最大波長の有機発光コンポーネントから最小波長の有機発光コンポーネントの範囲の有機発光コンポーネントを含むものは、マルチカラーのイメージパターンの可能性を提供することができる。照射光、好ましくはレーザー光の強度は、有機発光コンポーネントＣ１、Ｃ２の変形閾値よりも低くできる。さらに、照射光の強度は、有機発光コンポーネントＣ１、Ｃ２の光放射量の減少の程度を種々変更することにより調節可能である。それにより、例えば２つの有機発光コンポーネントＣ１、Ｃ２の発光スペクトルの間の、連続的に調節可能なスペクトルが得られる。
【００３１】
ＯＬＥＤ装置の露光の他の方法において、有機発光コンポーネントの吸収バンドが照射光Ｌの波長を含むが、短い波長の発光、即ち照射光Ｌよりも短い波長を有し且つ吸収バンドが照射光Ｌの波長を含まない有機発光コンポーネントの発光はそのまま残すことで、照射光Ｌの強度は、ＯＬＥＤ装置の色の発光を完全に抑制するレベルに設定することができる。それゆえに、レーザープリンタと類似の方法、即ちランダムディザリングのような技術を用いて、「グレー」値（‘ｇｒａｙ’  ｖａｌｕｅ）を、それより多いか少い「ピクセル」を露光させて色ごとに作成されることができる。この明細書においてピクセルとは、パターン化された最小の可視分解能を構成する有機発光コンポーネントにおける一組の分子であると解釈されるべきである。
【００３２】
図２は、図１のＯＬＥＤ装置の照射を模式的に表す。図２に示される例において、レーザー光Ｌは、それぞれの層（封止体３、カソード７、光放射層１１、電気導電性層１３、アノード９及び基板５）の平行面の部分Ｐに、垂直方向からＯＬＥＤ装置を通すように、照射する。レーザー光Ｌは、上で説明したように、レーザー光Ｌ及びＣ１及びＣ２の吸収に依存して有機発光コンポーネントＣ１、Ｃ２に影響を与える。レーザー光Ｌが、有機発光コンポーネントの吸収バンド内の波長を有する場合、その分子構造は変えられ、その有機発光コンポーネントの照射された部分Ｐからの光出力容量は減少するであろう。好ましくは、レーザー光の強度は、カソード７、アノード９、光放射層１１、電気伝導層１３及びそして又有機発光コンポーネントＣ１、Ｃ２の変形閾値より低い。このことは、ＯＦＦ状態の際にＯＬＥＤ装置上になんらかの目で見える印がないようにするために利益となり得る。
【００３３】
図３ａは、本発明概念によるマルチレイヤ光放射層１１−１の模式図である。Ｃ１及びＣ２の吸収バンドは異なり得る、そして発光スペクトルもまた異なり得る。ひとつの実施態様において、複数の異なる有機発光コンポーネント、例えば２より多い有機発光コンポーネントが使用されることができる。有機発光コンポーネントはオリゴマーの積層であり得る。
【００３４】
図３ｂは、本発明概念による、シングルレイヤ発光コンポーネント１１−２の模式図である。この例では、２つの有機発光コンポーネントＣ１、Ｃ２であるが、有機発光コンポーネントを追加することは、本発明概念の範囲内であるかぎり可能である。有機発光コンポーネントＣ１、Ｃ２のシングルレイヤは、それぞれ異なる発光スペクトル同様に、異なる吸収バンドを持ち得る。有機発光コンポーネントＣ１、Ｃ２は、単一の共重合されたモノマーの組み合わせである色素であってよい。
【００３５】
図３ｃは、本発明概念による、シングルレイヤ−マルチレイヤ組合せ光放射層１１−３の模式図である。この例において、有機発光コンポーネントＣ１、Ｃ２を含むシングルレイヤ光放射層１１−２は、マルチレイヤ光放射層１１−２においても同じく存在し、一緒になって結合シングルレイヤ−マルチレイヤ光放射層１１−３を形成する。マルチレイヤ光放射層１１−２は、有機発光コンポーネントＣ１、Ｃ２ではない他のタイプの有機発光コンポーネントを含んでいてよい。これにより、例えば結合シングルレイヤ−マルチレイヤ光放射層１１−３の異なる部分を、異なる波長でレーザー光照射した後、光出力効果が強化される可能性がある。
【００３６】
図４ａ−ｂは、図３ａのマルチレイヤ光放射層１１−１の照射の例の模式図である。明確にする目的で、マルチレイヤ光放射層１１−１だけを示す（アノード９、カソード７、基板５等は除かれている）。
【００３７】
レーザー光Ｌは、有機発光コンポーネントＣ１、Ｃ２の部分Ｐを照射する。レーザー光Ｌは、ＯＬＥＤ装置の、有機発光コンポーネントＣ１、Ｃ２、アノード９、カソード７の変形閾値よりも低い強度である。すでに定義された閾値よりも大きい光強度は、上のコンポーネントのどれかに熱損傷を与える結果になり得る。照射工程は、封止ＯＬＥＤ装置１で実行されることができる。また、有機発光コンポーネントＣ１、Ｃ２は、封止に先立って照射されてもよい。
【００３８】
この例では、Ｃ１は、例えば青色発光ポリマーレイヤ（４６０ｎｍ付近の発光）であり、及びＣ２は黄色発光（例えば５３０−５４０ｎｍ発光）ポリマーであり得る。レーザー光Ｌは、２倍周波数Ｎｄ：ＹＡＧレーザーであれば、Ｃ２の吸収バンド内の波長例えば５３２ｎｍを持つことができる。この照射は、図４ｂ（上向き矢印が発光量を示す）に示すように、レーザー光Ｌの照射に応じて、有機発光コンポーネントＣ２の分子を変化させて、有機発光コンポーネントＣ２の光出力容量の減少をもたらす。有機発光コンポーネントＣ１は、その発光スペクトル内の同じ光、即ちレーザー光照射する前の４６０ｎｍの出力容量を維持することができる。黄色発光ポリマーから製造される有機発光コンポーネントＣ２は、部分Ｐでの照射により光出力容量が減少し、そしてレーザー光Ｌによる照射対象となっていない部分はその光出力容量を維持する。
【００３９】
それゆえ、この場合、ＯＬＥＤ装置１の全体としての出力は、部分Ｐで青いパターンが見えるように変化し、一方装置の残りは緑色に発光する。
【００４０】
これとは対照的に、照射レーザー光Ｌが、有機発光コンポーネントＣ１の吸収バンド内の波長を有する場合、この照射は有機発光コンポーネントＣ１と有機発光コンポーネントＣ２の光出力容量とも減少させる結果となろう。
【００４１】
図５ａ−ｂは、図３ｂのシングルレイヤ光放射層１１−２の照射の例を示す（アノード９、カソード１、基板５等は除かれている）。
【００４２】
レーザー光Ｌは、有機発光コンポーネントＣ１、Ｃ２をＰで照射する。そのコンポーネントは、シングルレイヤ光放射層１１−２内に含まれている。レーザー光Ｌの強度は、ＯＬＥＤ装置１の、有機発光コンポーネントＣ１ａ−ｂ、Ｃ２ａ−ｂ、アノード９及びカソード７の変形閾値よりも下である。照射工程は、封止ＯＬＥＤ装置に行うこともできる。または、照射工程は、封止に先立って行うこともできる。
【００４３】
この例では、Ｃ１は、例えば青色発光ポリマー又はオリゴマー（４６０ｎｍ付近の発光）であり及びＣ２は黄色発光（例えば５３０−５４０ｎｍ発光）ポリマー又はオリゴマーであり得る。レーザー光Ｌは、２倍周波数Ｎｄ：ＹＡＧレーザーであれば、Ｃ２の吸収バンド内の波長例えば５３２ｎｍを持つことができる。この照射は、有機発光コンポーネントＣ２ａの照射により説明されるように、レーザー光Ｌの照射に応じて、有機発光コンポーネントＣ２の分子が変化して、有機発光コンポーネントＣ２の光出力容量の減少をもたらす。有機発光コンポーネントＣ１ａは、その発光スペクトル内の同じ光、即ちレーザー光照射する前の４６０ｎｍの出力容量を維持することができる。しかし、黄色発光ポリマー又はオリゴマーから製造される有機発光コンポーネントＣ２ａは、部分Ｐでの照射により光出力容量が減少し、そしてレーザー光Ｌによる照射対象となっていない部分はその光出力容量を維持する。照射されていない有機発光コンポーネントＣ１ｂ、Ｃ２ｂは、光出力容量を維持する。
【００４４】
図６は、本発明概念による、マルチレイヤ光放射層１１−１の例の模式図である。明確にするために、マルチレイヤ光放射層１１−１のみ示される（アノード９、カソード７、基板５等は省かれている）。
【００４５】
ＯＬＥＤ装置１は、有機発光コンポーネントＣ１、Ｃ２、及びＣ３のマルチレイヤを有し、それぞれの有機発光コンポーネントＣ１、Ｃ２、及びＣ３は異なる吸収バンドと異なる発光スペクトルを有する。図６の例は、有機発光コンポーネントＣ１、Ｃ２、及びＣ３がすでに部分Ｐ１及びＰ２で照射されていることを示す。
【００４６】
この例では、Ｃ１は、青色発光ポリマー、Ｃ２は黄色発光ポリマー、Ｃ３は赤色発光ポリマーである得る。部分Ｐ１は、すでに例えばＨｅＮｅレーザーで、有機発光コンポーネンＣ３の吸収バンド内である６３２．８ｎｍのような赤色波長のレーザー照射されている。この照射により照射部分Ｐ１で有機発光コンポーネントＣ３の光出力容量は減少される。しかし、有機発光コンポーネントＣ１、Ｃ２の吸収バンドは照射に用いられた赤色波長を含まないので、有機発光コンポーネントＣ１、Ｃ２は、照射部分Ｐ１でその光出力容量を維持することができる。青、黄、赤橙色を発光する有機発光コンポーネントＣ１、Ｃ２、Ｃ３の組み合わせは、それぞれ、ＯＬＥＤ装置１に白色光発光を与えることができる、この場合照射部分Ｐ１では緑色が発光する。
【００４７】
部分Ｐ２は、有機発光コンポーネントＣ２、Ｃ３の吸収バンド内である照射がすでにされていてもよい。そのような波長は、例えばＮｄ：ＹＡＧレーザーにより得られる５３２ｎｍである。照射は、照射部分Ｐ２での有機発光コンポーネントＣ２、Ｃ３の光出力容量を減少することができる。しかし、有機発光コンポーネントＣ１の吸収バンドは照射に用いられた波長を含まないので、有機発光コンポーネントＣ１の部分Ｐ２での光出力容量は維持されることができる。
【００４８】
さらには、レーザー光照射が起こらない場合、すべての３つの有機発光コンポーネントＣ１、Ｃ２、Ｃ３は、それらの光出力容量を維持する。
【００４９】
図７は、本発明概念による、シングルレイヤ光放射層１１−２の例の模式図である。明確にするために、マルチレイヤ光放射層１１−２のみ示される（アノード９、カソード７、基板５等は省かれている）。
【００５０】
ＯＬＥＤ装置１のシングルレイヤ光放射層１１−２は、異なる吸収バンド及び異なる発光スペクトルを持つ有機発光コンポーネントＣ１ａ−ｂ及びＣ２ａ−ｂを含む。部分Ｐ３はすでにレーザー光Ｌで照射されている。この例では、部分Ｐ３は、有機発光コンポーネントＣ１ａ−ｂはその光出力容量を維持する。というのは、レーザー光Ｌは、有機発光コンポーネントＣ１ａの吸収バンドの外側の波長を含むからである。有機発光コンポーネントＣ２ａの光出力容量はレーザー光Ｌにより減少する。ＯＬＥＤ装置の全体の光出力容量はそれにより減少するか又は変更される。
【００５１】
これは、封止前又は封止後にＯＬＥＤ装置１をカラーパターン化するためには有利であり得る。例えば、有機発光コンポーネントＣ１ａ−ｂが、青色発光スペクトルを有し、有機発光コンポーネントＣ２ａ−ｂが黄色発光スペクトルを有する場合、それらの組み合わせは、ＯＬＥＤ装置１が緑色発光することになる。しかし、レーザー光Ｌで照射されたＰ３部分は、有機発光コンポーネントＣ２ａの光出力容量が減少し、それによりこの部分で有機発光コンポーネントＣ１ａからの青色発光の結果となる。照射されていない部分は、その光出力容量を維持し、その結果部分Ｐ３で青色発光を伴う緑色発光ＯＬＥＤ装置１となる。
【００５２】
そのように、異なる光出力容量を有する異なる有機発光コンポーネントの数に依存して、又、照射レーザー光の波長に依存して、光出力容量、即ちＯＬＥＤ装置１の色を調節することが可能となり、それゆえにＯＬＥＤ装置上にフルカラーイメージを提供することが可能となる。この明細書では光出力容量の調節とは、ＯＬＥＤ装置の発光色が、ＯＬＥＤ装置が上で説明した波長で照射された場合変更されることを意味する。
【００５３】
照射レーザー光Ｌの強度に依存して、発光層１１の輝度を調節することも可能である。強度が高くなると、その照射レーザー光の波長を含む有機発光コンポーネントの輝度は減少する。
【００５４】
図８は、本発明概念の実施態様によるＯＬＥＤ装置の光出力容量の変更を説明するフローチャートを示す。
【００５５】
ステップＳ１で、複数の有機発光コンポーネントの部分が光照射される。この光は複数の有機発光コンポーネントの少なくとも一つの吸収バンド内の波長を有し、複数の有機発光コンポーネントのそれぞれの変形閾値よりも低い。複数の有機発光コンポーネントはＯＬＥＤ装置１の光放射層１１内に含まれる。
【００５６】
ステップＳ１に応じて、光吸収バンドが照射光に含まれるそれぞれの有機発光コンポーネントの光出力容量が減少する。
【００５７】
図９は、本発明概念によるＯＬＥＤ装置の光出力容量の変更を説明するフローチャートを示す。
【００５８】
ステップＳ０では、ＯＬＥＤ装置は、封止リッドのような封止体に封止されている。封止体は湿度及び／又は汚染からＯＬＥＤ装置を保護することができる。
【００５９】
ステップＳ０では、複数の有機発光コンポーネントのそれぞれの部分が、光照射されている。光は、複数の有機発光コンポーネントの少なくともひとつの吸収バンド内の波長を持ち、複数の有機発光コンポーネントのそれぞれの変形閾値よりも低い強度を持つ。複数の有機発光コンポーネントはＯＬＥＤ装置１の光放射層１１内に含まれることができる。
【００６０】
封止の後で複数の有機発光コンポーネントを照射することは、ビジネス的観点から利益があり得る。例えばイメージパターン化を、顧客の要求で、工場外で、製造前ＯＬＥＤ装置で実施することができるというような場合である。
【００６１】
また別法として、ＯＬＥＤ装置の封止のステップＳ０は、ステップＳ１の後になされてもよい。
【００６２】
この技術分野に熟練する人は、本発明は、上で説明した好ましい実施態様に限られないことを理解する。対照的に、多くの変更・変形例が、添付した特許請求の範囲の範囲内で可能である。
【００６３】
本発明の方法、装置の応用には、ＯＬＥＤ装置１の赤、緑、青発光領域により生成され得る、装飾照明、広告標識及びＯＬＥＤディスプレーのピクセル製造が含まれるがこれらに限定されるものではない。現在用いられているコストのかかるパターン化方法はそれゆえに、単一の堆積又はスピンコートステップとそれに続くレーザー照射に代わられることができる。
【図１】
0005670896.tif 000002
【図２】
0005670896.tif 000003
【図３ａ】
0005670896.tif 000004
【図３ｂ】
0005670896.tif 000005
【図３ｃ】
0005670896.tif 000006
【図４ａ】
0005670896.tif 000007
【図４ｂ】
0005670896.tif 000008
【図５ａ】
0005670896.tif 000009
【図５ｂ】
0005670896.tif 000010
【図６】
0005670896.tif 000011
【図７】
0005670896.tif 000012
【図８】
0005670896.tif 000013
【図９】
0005670896.tif 000014